(57)【要約】【課題】  複数の放射線撮影装置が重複する検査情報を記憶している場合であっても、検査を重複して実施することを防ぐことができる放射線撮影システムを提供する。【解決手段】  本発明の放射線撮影システムは、第１の検査情報に基づいて第１の放射線画像を撮影可能に構成されている第１の放射線撮影装置と、第２の検査情報に基づいて第２の放射線画像を撮影可能に構成されている第２の放射線撮影装置と、を備える放射線撮影システムであって、前記第１の検査情報と前記第２の検査情報のうち所定の検査情報が重複している場合、前記第１の放射線撮影装置における前記第１の放射線画像の撮影に関する進捗情報に基づいて、前記第２の放射線撮影装置における前記第２の放射線画像の撮影を制御する制御手段を備える。【選択図】  図１
2018139849.tif 000002
【特許請求の範囲】
【請求項１】
第１の検査情報に基づいて第１の放射線画像を撮影可能に構成されている第１の放射線撮影装置と、第２の検査情報に基づいて第２の放射線画像を撮影可能に構成されている第２の放射線撮影装置と、を備える放射線撮影システムであって、
前記第１の検査情報と前記第２の検査情報のうち所定の検査情報が重複している場合、前記第１の放射線撮影装置における前記第１の放射線画像の撮影に関する進捗情報に基づいて、前記第２の放射線撮影装置における前記第２の放射線画像の撮影を制御する制御手段を備えることを特徴とする放射線撮影システム。
【請求項２】
前記第１の放射線撮影装置の前記第１の検査情報を取得し、前記第１の検査情報と前記第２の検査情報との重複を判定する判定手段を備えることを特徴とする請求項１に記載の放射線撮影システム。
【請求項３】
前記第２の放射線撮影装置の前記制御手段は、前記第１の放射線画像の撮影が開始されたことを示す前記進捗情報を取得した場合、前記第２の放射線画像の撮影を許可しないことを特徴とする請求項１又は２に記載の放射線撮影システム。
【請求項４】
前記第２の放射線撮影装置の前記制御手段は、前記第１の放射線画像の撮影が開始されたことを示す前記進捗情報を取得した場合、前記第２の放射線画像の撮影が開始不可であることを示す進捗情報に、前記第２の放射線画像の撮影に関する進捗情報を更新することを特徴とする請求項３に記載の放射線撮影システム。
【請求項５】
前記第２の放射線撮影装置は、前記第２の検査情報を記憶する記憶手段を備え、
前記第２の放射線撮影装置の前記制御手段は、前記第１の放射線画像の撮影が終了したことを示す前記進捗情報を取得した場合、前記第２の放射線撮影装置の前記記憶手段から前記第２の検査情報を削除することを特徴とする請求項１乃至４の何れか１項に記載の放射線撮影システム。
【請求項６】
前記第２の放射線撮影装置の前記制御手段は、前記第１の放射線画像の撮影が中止されたことを示す前記進捗情報を取得した場合、前記第２の放射線画像の撮影を許可することを特徴とする請求項１乃至５の何れか１項に記載の放射線撮影システム。
【請求項７】
前記第２の放射線撮影装置の前記制御手段は、前記第１の放射線画像の撮影が中止されたことを示す前記進捗情報を取得した場合、前記第２の放射線画像の撮影が開始可であることを示す進捗情報に、前記第２の放射線画像の撮影に関する進捗情報を更新することを特徴とする請求項６に記載の放射線撮影システム。
【請求項８】
前記第１の放射線撮影装置は、前記検査情報を管理する情報管理手段から前記第１の検査情報を取得し、前記第１の放射線画像の撮影に関する進捗情報を前記情報管理手段に送信する制御手段を備えることを特徴とする請求項１乃至７の何れか１項に記載の放射線撮影システム。
【請求項９】
前記第１の放射線撮影装置は、前記第１の放射線画像の撮影に関する進捗情報を前記第２の放射線撮影装置に送信する制御手段を備えることを特徴とする請求項１乃至８の何れか１項に記載の放射線撮影システム。
【請求項１０】
第１の検査情報に基づいて第１の放射線画像を撮影可能に構成されている第１の放射線撮影装置と、第２の検査情報に基づいて第２の放射線画像を撮影可能に構成されている第２の放射線撮影装置と、を備える放射線撮影システムであって、
前記第２の放射線撮影装置は、
前記第１の放射線撮影装置の前記第１の検査情報を取得し、前記第１の検査情報と前記第２の検査情報との重複を判定する判定手段と、
前記第１の検査情報と前記第２の検査情報のうち所定の検査情報が重複している場合、前記第２の放射線画像の撮影に関する進捗情報を前記第１の放射線撮影装置に送信する制御手段と、を備え、
前記第１の放射線撮影装置は、前記第２の放射線画像の撮影に関する進捗情報に基づいて、前記第１の放射線画像の撮影を制御する制御手段を備えることを特徴とする放射線撮影システム。
【請求項１１】
前記第１の放射線撮影装置の前記制御手段は、前記第２の放射線画像の撮影が開始されたことを示す前記進捗情報を取得した場合、前記第１の放射線画像の撮影を許可しないことを特徴とする請求項１０に記載の放射線撮影システム。
【請求項１２】
前記第１の放射線撮影装置の前記制御手段は、前記第２の放射線画像の撮影が開始されたことを示す前記進捗情報を取得した場合、前記第１の放射線画像の撮影が開始不可であることを示す進捗情報に、前記第１の放射線画像の撮影に関する進捗情報を更新することを特徴とする請求項１１に記載の放射線撮影システム。
【請求項１３】
前記第１の放射線撮影装置は、前記第１の検査情報を記憶する記憶手段を備え、
前記第１の放射線撮影装置の前記制御手段は、前記第２の放射線画像の撮影が終了したことを示す前記進捗情報を取得した場合、前記第１の放射線撮影装置の前記記憶手段から前記第１の検査情報を削除することを特徴とする請求項１０乃至１２の何れか１項に記載の放射線撮影システム。
【請求項１４】
前記第１の放射線撮影装置の前記制御手段は、前記第２の放射線画像の撮影が未実施であることを示す前記進捗情報を取得した場合、前記第１の放射線画像の撮影を許可することを特徴とする請求項１０乃至１３の何れか１項に記載の放射線撮影システム。
【請求項１５】
前記判定手段は、前記第１の検査情報と前記第２の検査情報のうち所定の検査情報が重複していても、前記第２の放射線画像の撮影が未実施である場合、前記第２の放射線画像の撮影に関する進捗情報を前記第１の放射線撮影装置に送信せず、
前記第１の放射線撮影装置の前記制御手段は、前記第２の放射線画像の撮影に関する進捗情報を所定の時間内に取得しない場合、前記第１の放射線画像の撮影を許可することを特徴とする請求項１０乃至１３の何れか１項に記載の放射線撮影システム。
【請求項１６】
前記第１の放射線撮影装置の前記制御手段は、前記第２の放射線画像の撮影が中止されたことを示す前記進捗情報を取得した場合、前記第１の放射線画像の撮影を許可することを特徴とする請求項１０乃至１５の何れか１項に記載の放射線撮影システム。
【請求項１７】
前記第１の放射線撮影装置の前記制御手段は、前記第２の放射線画像の撮影が中止されたことを示す前記進捗情報を取得した場合、前記第１の放射線画像の撮影が未実施であることを示す進捗情報に、前記第１の放射線画像の撮影に関する進捗情報を更新することを特徴とする請求項１６に記載の放射線撮影システム。
【請求項１８】
第１の検査情報に基づいて第１の放射線画像を撮影可能に構成されている第１の放射線撮影装置から前記第１の検査情報を取得する第２の放射線撮影装置であって、
前記第２の放射線撮影装置は、
第２の検査情報に基づいて第２の放射線画像を撮影可能に構成されており、
前記第１の検査情報と前記第２の検査情報のうち所定の検査情報が重複している場合、前記第１の放射線撮影装置における前記第１の放射線画像の撮影に関する進捗情報に基づいて、前記第２の放射線撮影装置における前記第２の放射線画像の撮影を制御する制御手段を備えることを特徴とする放射線撮影装置。
【請求項１９】
第１の検査情報に基づいて第１の放射線画像を撮影可能に構成されている第１の放射線撮影装置と、第２の検査情報に基づいて第２の放射線画像を撮影可能に構成されている第２の放射線撮影装置と、による放射線撮影方法であって、
前記第２の放射線撮影装置は、
前記第１の検査情報と前記第２の検査情報のうち所定の検査情報が重複している場合、前記第１の放射線撮影装置における前記第１の放射線画像の撮影に関する進捗情報に基づいて、前記第２の放射線撮影装置における第２の放射線画像の撮影を制御する工程と、
を備えることを特徴とする放射線撮影方法。
【請求項２０】
コンピュータを請求項１乃至１７の何れか１項に記載の放射線撮影システムの各手段として機能させるためのプログラム。
【発明の詳細な説明】
【技術分野】
【０００１】
本発明は、放射線撮影システム、放射線撮影装置、放射線撮影方法、及びプログラムに関する。
【背景技術】
【０００２】
近年、病院ではネットワーク接続による病院情報システムが構築されている。例えば、放射線撮影が必要と判断されると、ＨＩＳ（Ｈｏｓｐｉｔａｌ  Ｉｎｆｏｒｍａｔｉｏｎ  Ｓｙｓｔｅｍ）端末より検査指示を入力し、依頼先である放射線部門に伝達する。
【０００３】
この依頼情報を検査オーダという。この検査オーダには、依頼元の部門名、検査項目、及び患者の個人データなどが含まれる。放射線部門は、ＲＩＳ（Ｒａｄｉｏｌｏｇｙ  Ｉｎｆｏｒｍａｔｉｏｎ  Ｓｙｓｔｅｍ）により検査オーダを受信すると、撮影条件などを検査オーダに付加し、検査情報として放射線撮影装置へ転送する。放射線撮影装置は、受信した検査オーダに従って放射線撮影を実施する。撮影された画像は、検査情報に付与され、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）へ転送されたり、プリント出力されたりする。
【０００４】
特許文献１に開示されている方法では、ネットワーク上の情報管理装置に検査の進捗情報を送信し、検査の完了を管理している。しかし、特許文献１の方法では、ネットワーク上に複数の放射線撮影装置が存在する場合、放射線撮影装置は、互いの取得した検査オーダやその進捗状況を把握することが難しい。
【先行技術文献】
【特許文献】
【０００５】
【特許文献１】特開２００４−１４７９２１号公報
【発明の概要】
【発明が解決しようとする課題】
【０００６】
複数の放射線撮影装置をネットワークで接続する従来の病院情報システムでは、放射線撮影装置が、他の放射線撮影装置の検査進捗状況を把握することが難しかった。このため、複数の放射線撮影装置で同一の検査オーダを確認したオペレータ（例えば、技師や医師）が、それぞれの放射線撮影装置で同一検査を開始する可能性があり、効率が悪かった。また、複数の放射線撮影装置で同一の検査オーダの重複に気付かずに検査が実施された場合、患者は不必要に被曝するという問題があった。
【課題を解決するための手段】
【０００７】
本発明の放射線撮影システムは、第１の検査情報に基づいて第１の放射線画像を撮影可能に構成されている第１の放射線撮影装置と、第２の検査情報に基づいて第２の放射線画像を撮影可能に構成されている第２の放射線撮影装置と、を備える放射線撮影システムであって、前記第１の検査情報と前記第２の検査情報のうち所定の検査情報が重複している場合、前記第１の放射線撮影装置における前記第１の放射線画像の撮影に関する進捗情報に基づいて、前記第２の放射線撮影装置における前記第２の放射線画像の撮影を制御する制御手段と、を備える。
【発明の効果】
【０００８】
本発明によれば、複数の放射線撮影装置が重複する検査情報を記憶している場合であっても、検査を重複して実施することを防ぐことができる。
【図面の簡単な説明】
【０００９】
【図１】第１の実施形態に係る放射線撮影システムの構成の一例を示す図である。
【図２】検査情報一覧表示画面の例を示す図である。
【図３】第１の実施形態における放射線撮影装置の処理の一例を示すフローチャートである。
【図４】第１の実施形態における進捗情報の例を示す図である。
【図５】撮影前の撮影画面の例を示す図である。
【図６】撮影後の撮影画面の例を示す図である。
【図７】第２の実施形態における放射線撮影装置の処理の一例を示すフローチャートである。
【図８】第２の実施形態における進捗情報の例を示す図である。
【発明を実施するための形態】
【００１０】
以下、本発明の実施形態について添付図面を参照して詳細に説明する。本実施形態の放射線撮影システムは、第１の検査情報に基づいて第１の放射線画像を撮影可能に構成されている第１の放射線撮影装置と、第２の検査情報に基づいて第２の放射線画像を撮影可能に構成されている第２の放射線撮影装置と、を少なくとも備える。なお、以下に示す実施形態においては、放射線は、Ｘ線に限られず、例えば、電磁波やα線、β線、γ線などであってもよい。
【００１１】
（第１の実施形態）
【００１２】
図１は、本発明の第１の実施形態に係る放射線撮影システムの構成の一例を示す図である。
【００１３】
図１のように、放射線撮影システムは、放射線撮影装置１０１Ａ〜Ｃと、ＨＩＳ（院内システム）１０２と、ＲＩＳ（放射線科情報システム）１０３と、ＰＡＣＳ（画像サーバ）１０４などを備える。図１では、放射線撮影装置１０１Ａは、第１の放射線撮影装置であり、放射線撮影装置１０１Ｂ，１０１Ｃは、第２の放射線撮影装置である。
【００１４】
また、放射線撮影装置１０１Ａ〜Ｃ、ＨＩＳ１０２、ＲＩＳ１０３、ＰＡＣＳ１０４、及びプリンタ１０５は、例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などで構成されるネットワーク１０６を介して電気的に接続される。
【００１５】
なお、これら各放射線撮影装置には、１又は複数のコンピュータが含まれる。コンピュータには、例えば、ＣＰＵなどの主制御手段、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などの記憶部が具備される。また、コンピュータには、ネットワークカードなどの通信手段、キーボード、及びディスプレイやタッチパネルなどの入出力手段などが具備されていてもよい。これら各構成手段は、バスなどにより接続され、記憶部に記憶されたプログラムを主制御手段が実行することで制御される。
【００１６】
以上が放射線撮影システムの構成の一例についての説明である。なお、図１に示す構成は、あくまで一例であり、接続する装置や数は適宜変更できる。例えば、図１では、ネットワーク１０６を介して、放射線撮影装置１０１にＨＩＳ１０２やＰＡＣＳ１０４が接続されているが、放射線撮影装置１０１は、このような装置と接続されていなくてもよい。
【００１７】
ここで、放射線撮影装置１０１Ａ〜Ｃは、撮影装置表示部１０７と、撮影装置操作部１０８と、撮影装置制御部（制御部）１０９と、放射線発生装置制御部１１０とを備える。放射線撮影装置１０１Ｂ，１０１Ｃは、判定部１１３を更に備える。放射線撮影装置１０１Ａが、判定部１１３を備えてもよい。
【００１８】
撮影装置表示部１０７は、例えば、液晶ディスプレイなどで実現され、各種情報をオペレータ（例えば、撮影技師や医師）に向けて表示する。撮影装置操作部１０８は、例えば、マウスや操作ボタンなどで実現され、オペレータからの各種指示を装置内に入力する。なお、撮影装置表示部１０７及び撮影装置操作部１０８は、それらが一体となったタッチパネルで実現されてもよい。撮影装置制御部１０９は、放射線撮影装置１０１Ａ〜Ｃにおける処理を統括制御する。
【００１９】
放射線発生装置制御部１１０は、有線又は無線で放射線発生部１１１に接続されており、当該放射線発生部１１１からの放射線照射を制御する。放射線発生部１１１は、例えば、放射線管球により実現され、被写体（例えば、患者の特定部位）に向けて、放射線を照射する。放射線発生部１１１は、撮影室に固定されたタイプの装置や、回診用や災害用の任意の場所へ移動が可能なタイプの装置がある。
【００２０】
放射線撮影装置１０１Ａは、有線又は無線で放射線検出器１１２に通信可能に接続されており、両者の間では、電源や画像信号や制御信号などが授受される。放射線検出器１１２は、被写体を透過した放射線を検出し、当該被写体の放射線画像を取得する検出器として機能する。すなわち、放射線発生部１１１及び放射線検出器１１２が連携して動作することにより、放射線撮影が実現される。
【００２１】
放射線撮影装置１０１Ａは、ネットワーク１０６を介してＲＩＳ１０３から第１の検査情報を取得可能で、取得した第１の検査情報を放射線撮影装置１０１Ａの記憶部に記憶する。放射線撮影装置１０１Ｂ，１０１Ｃは、ネットワーク１０６を介してＲＩＳ１０３から第２の検査情報を取得可能で、取得した第２の検査情報を放射線撮影装置１０１Ｂ，１０１Ｃの記憶部に記憶する。
【００２２】
また、放射線撮影装置１０１Ａは、記憶している各検査に関連付けて、放射線撮影のステータス（第１の進捗情報）を記憶することができる。放射線撮影装置１０１Ｂ，１０１Ｃは、記憶している各検査に関連付けて、放射線撮影のステータス（第２の進捗情報）を記憶することができる。各検査の初期設定のステータスは、検査の開始可又は未実施である。
【００２３】
図１の放射線撮影装置１０１Ａ〜Ｃは、上記の機能と同一機能を有し、各放射線撮影装置１０１Ａ〜Ｃの個体識別可能である。以下、放射線撮影装置１０１Ａ〜Ｃを個別に識別する必要がない場合、放射線撮影装置１０１と記す。
【００２４】
ＲＩＳ１０３は、検査情報や検査の進捗情報などの情報管理を行う。検査情報は、被検体名、被検体ＩＤ、生年月日、性別、検査ＩＤ、検査日時、検査場所、及び撮影手技などを含む。検査の進捗情報は、検査開始、検査終了、及び検査中止の少なくとも１つを含む。
【００２５】
次に、図１に示す放射線撮影システムの動作について説明する。本実施形態の放射線撮影システムは、検査の流れに沿って同一検査を重複して開始することを回避する。
【００２６】
まず、放射線撮影装置１０１Ａの撮影装置制御部１０９は、検査情報を管理するＲＩＳ１０３から第１の検査情報を取得し、記憶する。
【００２７】
放射線撮影装置１０１Ａは、図２のように、検査情報を検査情報一覧画面に表示する。検査情報一覧画面は、検索条件入力部２０１と、検査情報選択部２０２と、患者情報表示部２０３と、検査情報表示部２０４と、検査開始ボタン２０５とを備える。
【００２８】
検索条件入力部２０１が検索条件を入力すると、放射線撮影装置１０１に記憶された検査情報のうち、検索条件に一致する検査情報が検査情報選択部２０２に表示される。検査情報選択部２０２で検査情報が選択されると、当該検査の患者情報が患者情報表示部２０３に表示され、撮影方法が検査情報表示部２０４に表示される。
【００２９】
オペレータが検査情報選択部２０２から実施する第１の検査情報を選択し、検査開始ボタン２０５を押下すると、放射線撮影装置１０１Ａは、当該検査と関連付けて記憶しているステータスを確認する。
【００３０】
ステータスが検査開始不可である場合は、放射線撮影装置１０１Ａは、アラートを表示し、アラート表示によって検査がすでに放射線撮影装置１０１Ｂ，１０１Ｃのいずれかの装置に開始されていることをオペレータに通知する。また、ステータスが検査開始不可である場合は、放射線撮影装置１０１Ａは、検査情報一覧画面から撮影画面へ遷移しないことで検査が重複して開始されるのを回避してもよい。このとき、先に当該検査を開始した放射線撮影装置１０１の設置場所や使用中のオペレータ名が、放射線撮影装置１０１Ａに通知されてもよい。
【００３１】
ステータスが検査開始可である場合は、放射線撮影装置１０１Ａは、当該検査の検査開始を放射線撮影装置１０１Ｂ，１０１Ｃに通知する。放射線撮影装置１０１Ａの撮影装置制御部１０９は、第１の進捗情報を放射線撮影装置１０１Ｂ，１０１Ｃに送信する。
【００３２】
図３は、放射線撮影装置１０１の処理の一例を示すフローチャートである。放射線撮影装置１０１Ａから検査開始の通知を受けた放射線撮影装置１０１Ｂ，１０１Ｃは、第１の進捗情報に関する第１の検査情報に対応する第２の検査情報を放射線撮影装置１０１Ｂ，１０１Ｃの記憶部に記憶しているか否かを判断する（ステップＳ３０１）。
【００３３】
当該検査情報を記憶していない場合は、処理が終了する（ステップＳ３０６）。当該検査情報を記憶していた場合、放射線撮影装置１０１Ｂ，１０１Ｃは、取得した進捗情報の内容を確認する（ステップＳ３０２）。放射線撮影装置１０１Ｂ，１０１Ｃの判定部１１３は、放射線撮影装置１０１Ａの第１の検査情報を取得し、第１の検査情報と第２の検査情報との重複を判定する。
【００３４】
放射線撮影装置１０１Ｂ，１０１Ｃの撮影装置制御部１０９は、第１の検査情報と第２の検査情報のうち所定の検査情報が重複している場合、第１の放射線画像の撮影の第１の進捗情報に基づいて、第２の放射線画像の撮影を制御する。
【００３５】
第１の進捗情報が検査開始であることを確認すると、放射線撮影装置１０１Ｂ，１０１Ｃは、図４（ａ）から図４（ｂ）のように、当該検査のステータスを検査開始不可に変更し（ステップＳ３０３）、記憶する。この場合、放射線撮影装置１０１Ａも、図４（ａ）から図４（ｂ）のように、当該検査のステータスを検査開始不可に変更し、記憶してもよい。
【００３６】
このように、放射線撮影装置１０１Ｂ，１０１Ｃの撮影装置制御部１０９は、第１の放射線画像の撮影が開始されたことを示す第１の進捗情報を取得した場合、第２の放射線画像の撮影を許可しない。放射線撮影装置１０１Ｂ，１０１Ｃの撮影装置制御部１０９は、第１の放射線画像の撮影が開始されたことを示す第１の進捗情報を取得した場合、第２の放射線画像の撮影が開始不可であることを示す進捗情報に第２の進捗情報を更新する。
【００３７】
放射線撮影装置１０１Ａは、放射線撮影装置１０１Ｂ，１０１Ｃに検査開始の通知が完了した後、ＲＩＳ１０３に対し、当該検査の検査開始を通知する。放射線撮影装置１０１Ａの撮影装置制御部１０９は、第１の進捗情報をＲＩＳ（情報管理部）１０３に送信する。
【００３８】
放射線撮影装置１０１Ａは、ＲＩＳ１０３への検査開始通知が完了した後、図５の撮影画面が撮影装置表示部１０７に表示され、検査が開始される。
【００３９】
ここで、撮影画面は、画像表示部５０１と、放射線検出器状態表示部５０２と、患者情報表示部５０３と、撮影方法表示部５０４と、画像処理調整部５０５と、キャンセルボタン５０６と、検査終了ボタン５０７とを備える。キャンセルボタン５０６は、１枚以上の放射線画像が撮影された時点で、図６の検査保留ボタン５０８に変わる。
【００４０】
オペレータは、患者情報表示部５０３と撮影方法表示部５０４を確認し、撮影のセッティング及び患者のポジショニングを行う。放射線検出器１１２が撮影可能状態になると、撮影可能状態である「Ｒｅａｄｙメッセージ」が放射線検出器状態表示部５０２に表示される。オペレータは、「Ｒｅａｄｙメッセージ」を確認した後、放射線照射スイッチ（不図示）を押下する。
【００４１】
このとき、図６のように、画像表示部５０１には、放射線検出器１１２で検出された放射線が放射線画像として表示される。オペレータは、画像処理調整部５０５を操作することで、表示されている放射線画像のコントラストや輝度などを調整することができる。
【００４２】
すべての放射線画像の撮影が完了すると、オペレータは、撮影画面上の検査終了ボタン５０７を押下する。これにより、検査が終了し、撮影された放射線画像は、ＰＡＣＳ１０４、プリンタ１０５、及び自装置の記憶部に出力される。また、撮影装置表示部１０７には、検査情報一覧画面が表示される。このとき、放射線撮影装置１０１Ａは、当該検査の検査終了をＲＩＳ１０３に通知する。放射線撮影装置１０１Ａの撮影装置制御部１０９は、第１の進捗情報をＲＩＳ（情報管理部）１０３に送信する。
【００４３】
ＲＩＳ１０３への検査終了の通知完了後、放射線撮影装置１０１Ａは、当該検査の検査終了を放射線撮影装置１０１Ｂ，１０１Ｃに通知する。放射線撮影装置１０１Ａは、検査終了を確認すると、図４（ｂ）から図４（ｃ）のように、当該検査情報を記憶部から削除してもよい。
【００４４】
次に、上記のように、放射線撮影装置１０１Ａが検査終了している場合について説明する。放射線撮影装置１０１Ａから検査終了の通知を受けた放射線撮影装置１０１Ｂ，１０１Ｃは、進捗情報に関する検査情報を記憶部に記憶しているか否かを判断する（ステップＳ３０１）。
【００４５】
当該検査情報を記憶していない場合は処理を終了する（ステップＳ３０６）。
【００４６】
当該検査情報を記憶していた場合、放射線撮影装置１０１Ｂ，１０１Ｃは、取得した進捗情報の内容を確認する（ステップＳ３０２）。放射線撮影装置１０１Ｂ，１０１Ｃは、検査終了を確認すると、図４（ｂ）から図４（ｃ）のように、当該検査情報を記憶部から削除する（ステップＳ３０４）。記憶部から削除された検査は、検査情報一覧画面に表示されなくなる。
【００４７】
このように、放射線撮影装置１０１Ｂ，１０１Ｃの撮影装置制御部１０９は、第１の放射線画像の撮影が終了したことを示す第１の進捗情報を取得した場合、放射線撮影装置１０１Ｂ，１０１Ｃの記憶部から第２の検査情報を削除する。
【００４８】
次に、検査開始後に被検体の体調や業務の都合により、放射線撮影装置１０１Ａが検査を中止する場合について説明する。この場合、オペレータは、検査を中止するために、撮影画面上のキャンセルボタン５０６を押下する。これにより、検査が中止され、検査情報一覧画面が撮影装置表示部１０７に表示される。このとき、放射線撮影装置１０１Ａは、当該検査の検査中止をＲＩＳ１０３に通知する。放射線撮影装置１０１Ａの撮影装置制御部１０９は、第１の進捗情報をＲＩＳ（情報管理部）１０３に送信する。
【００４９】
ＲＩＳ１０３への検査中止の通知完了後、放射線撮影装置１０１Ａは、当該検査の検査中止を放射線撮影装置１０１Ｂ，１０１Ｃに通知する。
【００５０】
放射線撮影装置１０１Ａから検査中止の通知を受けた放射線撮影装置１０１Ｂ，１０１Ｃは、進捗情報に関する検査情報を記憶部に記憶しているか否かを判断する（ステップＳ３０１）。当該検査情報を記憶していない場合は処理を終了する（ステップＳ３０６）。当該検査情報を記憶していた場合、放射線撮影装置１０１Ｂ，１０１Ｃは、取得した進捗情報の内容を確認する（ステップＳ３０２）。
【００５１】
放射線撮影装置１０１Ｂ，１０１Ｃは、検査中止を確認すると、図４（ｂ）から図４（ａ）のように、当該検査のステータスを検査開始可に変更し（ステップＳ３０５）、記憶する。この場合、放射線撮影装置１０１Ａも、図４（ｂ）から図４（ａ）のように、当該検査のステータスを検査開始可に変更し、記憶してもよい。
【００５２】
このように、放射線撮影装置１０１Ｂ，１０１Ｃの撮影装置制御部１０９は、第１の放射線画像の撮影が中止されたことを示す第１の進捗情報を取得した場合、第２の放射線画像の撮影を許可する。放射線撮影装置１０１Ｂ，１０１Ｃの撮影装置制御部１０９は、第１の放射線画像の撮影が中止されたことを示す第１の進捗情報を取得した場合、第２の放射線画像の撮影が開始可であることを示す進捗情報に前記第２の進捗情報を更新する。
【００５３】
複数の放射線撮影装置１０１が、同時に同一検査の進捗情報を通知し合うのを防ぐため、放射線撮影装置１０１Ａは、進捗情報の通知開始から進捗情報の通知完了まで、他の放射線撮影装置１０１Ｂ，１０１Ｃからの進捗情報の通知を受け付けない。また、進捗情報の通知を受け付けない放射線撮影装置１０１が存在する場合は、放射線撮影装置１０１Ａは、所定の時間待機した後、通知を受け付けなかった放射線撮影装置１０１へ再度、当該検査の進捗情報を通知する。
【００５４】
本実施形態によれば、複数の放射線撮影装置が重複する検査情報を記憶している場合であっても、検査を重複して実施することを防ぐことができる。
【００５５】
（第２の実施形態）
【００５６】
第２の実施形態の放射線撮影システムの動作について説明する。本実施形態の放射線撮影システムは、検査の流れに沿って同一検査を重複して実施することを回避する。放射線撮影装置１０１Ａは、第２の進捗情報に基づいて、第１の放射線画像の撮影を制御する。なお、上記の実施形態と同様の構成、機能、及び動作についての説明は省略し、主に本実施形態との差異について説明する。
【００５７】
第２の実施形態では、第１の実施形態と同様に、放射線撮影装置１０１は、ＲＩＳ１０３から検査情報を取得し検査情報を記憶部に記憶するが、各検査に関連付けて記憶するステータスは、検査未実施、検査開始、及び検査終了の少なくとも１つである。各検査の初期設定のステータスは検査未実施である。
【００５８】
図７は、本実施形態における放射線撮影装置１０１の処理の一例を示すフローチャートである。放射線撮影装置１０１Ａは、ＲＩＳ１０３から第１の検査情報を取得し、記憶する。図２に示すように、放射線撮影装置１０１Ａは、記憶している検査情報を検査情報一覧画面に表示する。オペレータによって検査情報選択部２０２から検査情報が選択されると、放射線撮影装置１０１Ａは、放射線撮影装置１０１Ｂ，１０１Ｃに当該検査の進捗情報を取得要求する。
【００５９】
検査進捗情報の取得要求を受けた放射線撮影装置１０１Ｂ，１０１Ｃは、当該検査情報を記憶しているか判定する（ステップＳ７０１）。記憶していない場合は、放射線撮影装置１０１Ｂ，１０１Ｃは、進捗情報を送信せず通信を終了する（ステップＳ７０５）。記憶している場合は、放射線撮影装置１０１Ｂ，１０１Ｃは、当該検査と関連付けて記憶しているステータスを確認する（ステップＳ７０２）。放射線撮影装置１０１Ｂ，１０１Ｃの撮影装置制御部１０９は、第１の検査情報と第２の検査情報のうち所定の検査情報が重複している場合、第２の進捗情報を放射線撮影装置１０１Ａに送信する。
【００６０】
ステータスが検査開始である場合は、放射線撮影装置１０１Ｂ，１０１Ｃは、検査開始を放射線撮影装置１０１Ａへ送信する（ステップＳ７０３）。ステータスが検査終了である場合は、放射線撮影装置１０１Ｂ，１０１Ｃは、検査終了を放射線撮影装置１０１Ａへ送信する（ステップＳ７０４）。
【００６１】
放射線撮影装置１０１Ａの撮影装置制御部１０９は、第２の放射線画像の撮影が開始されたことを示す第２の進捗情報を取得した場合、第１の放射線画像の撮影を許可しない。放射線撮影装置１０１Ａの撮影装置制御部１０９は、第２の放射線画像の撮影が開始されたことを示す第２の進捗情報を取得した場合、第１の放射線画像の撮影が開始不可であることを示す進捗情報に第１の進捗情報を更新してもよい。
【００６２】
また、第１の放射線撮影装置の前記制御手段は、前記第２の放射線画像の撮影が終了したことを示す前記第２の進捗情報を取得した場合、前記第１の放射線撮影装置の前記記憶手段から前記第１の検査情報を削除する
【００６３】
ステータスが検査未実施である場合は、放射線撮影装置１０１Ｂ，１０１Ｃは、進捗情報を送信せず通信を終了する（ステップＳ７０５）。
【００６４】
放射線撮影装置１０１Ｂ，１０１Ｃの判定部１１３は、第１の検査情報と第２の検査情報のうち所定の検査情報が重複していても、第２の放射線画像の撮影が未実施である場合、第２の進捗情報を第１の放射線撮影装置に送信しない。放射線撮影装置１０１Ａの撮影装置制御部１０９は、第２の進捗情報を所定の時間内に取得しない場合、第１の放射線画像の撮影を許可する。
【００６５】
ステップＳ７０３で、放射線撮影装置１０１Ａは、放射線撮影装置１０１Ｂ，１０１Ｃの少なくとも１つから検査開始を取得した場合は、アラートを表示し、検査が放射線撮影装置１０１Ｂ，１０１Ｃの何れかにより開始済みであることをオペレータに通知する。
【００６６】
また、放射線撮影装置１０１Ａは、放射線撮影装置１０１Ｂ，１０１Ｃの少なくとも１つから検査開始を取得した場合は、検査情報一覧画面から撮影画面へ遷移しないことで検査が重複して開始されるのを回避してもよい。このとき、当該検査を開始した放射線撮影装置１０１の設置場所や使用中のオペレータ名が放射線撮影装置１０１Ａに通知されてもよい。
【００６７】
ステップＳ７０４で、放射線撮影装置１０１Ａは、放射線撮影装置１０１Ｂ，１０１Ｃの少なくとも１つから検査終了を取得した場合は、アラートを表示し、当該検査がすでに終了していることをオペレータに通知し、当該検査情報を記憶部から削除する。記憶部から削除された検査は、検査情報一覧画面に表示されなくなる。
【００６８】
ステップＳ７０５で、放射線撮影装置１０１Ａは、放射線撮影装置１０１Ｂ，１０１Ｃから進捗情報を取得せずに通信が終了した場合は、図８（ａ）から図８（ｂ）のように、ステータスを検査開始に変更して記憶し、ＲＩＳ１０３に検査の検査開始を通知する。放射線撮影装置１０１Ａの撮影装置制御部１０９は、第１の進捗情報をＲＩＳ（情報管理部）１０３に送信する。その後、放射線撮影装置１０１Ａは、撮影画面を撮影装置表示部１０７に表示し、検査を開始する。
【００６９】
なお、放射線撮影装置１０１Ｂ，１０１Ｃの判定部１１３は、第２の放射線画像の撮影が未実施である場合、第２の放射線画像の撮影が未実施であることを示す第２の進捗情報を放射線撮影装置１０１Ａに送信してもよい。放射線撮影装置１０１Ａの撮影装置制御部１０９は、第２の放射線画像の撮影が未実施であることを示す第２の進捗情報を取得した場合、第１の放射線画像の撮影を許可する。
【００７０】
放射線撮影装置１０１Ａによる検査が終了すると、オペレータは、撮影画面上の検査終了ボタン５０７を押下する。これにより検査が終了し、検査情報一覧画面が、撮影装置表示部１０７に表示される。このとき、放射線撮影装置１０１Ａは、図８（ｂ）から図８（ｃ）のように、当該検査のステータスを検査終了に変更して記憶し、当該検査の検査終了をＲＩＳ１０３に通知する。放射線撮影装置１０１Ａの撮影装置制御部１０９は、第１の進捗情報をＲＩＳ（情報管理部）１０３に送信する。
【００７１】
撮影された放射線画像は、ＰＡＣＳ１０４やプリンタ１０５、自装置の記憶部に出力される。
【００７２】
次に、検査開始後に被検体の体調や業務の都合により、放射線撮影装置１０１Ａが検査を中止する場合について説明する。オペレータによりキャンセルボタン５０６が押下された場合は、検査が中止され、検査情報一覧画面が撮影装置表示部１０７に表示される。このとき、放射線撮影装置１０１Ａは、当該検査の検査中止をＲＩＳ１０３に通知し、通知が完了すると、図８（ｂ）から図８（ａ）のように、当該検査のステータスを検査未実施に変更して記憶する。
【００７３】
次に、検査開始後に被検体の体調や業務の都合により、放射線撮影装置１０１Ｂ，１０１Ｃが検査を中止する場合について説明する。放射線撮影装置１０１Ａの撮影装置制御部１０９は、第２の放射線画像の撮影が中止されたことを示す第２の進捗情報を取得した場合、第１の放射線画像の撮影を許可する。放射線撮影装置１０１Ａの撮影装置制御部１０９は、第２の放射線画像の撮影が中止されたことを示す第２の進捗情報を取得した場合、第１の放射線画像の撮影が未実施であることを示す進捗情報に第１の進捗情報を更新する。
【００７４】
複数の放射線撮影装置１０１が同時に同一検査の進捗情報を要求し合うのを防ぐため、放射線撮影装置１０１Ａは、以下のような動作を行う。放射線撮影装置１０１Ａは、当該検査の第２の進捗情報の取得要求中に他の放射線撮影装置１０１Ｂから取得要求受けた場合、アラートを表示し、同時に進捗情報を要求しようとした放射線撮影装置１０１Ａの情報をオペレータに通知する。この場合、放射線撮影装置１０１Ａは、取得要求によりそれまでに取得した第２の進捗情報は破棄し、検査を開始せずに、検査情報一覧画面に戻る。
【００７５】
本実施形態によれば、複数の放射線撮影装置が重複する検査情報を記憶している場合であっても、検査を重複して実施することを防ぐことができる。
【００７６】
以上、本発明に係る実施形態について説明したが、本発明はこれらに限定されるものではなく、請求項に記載された範囲内において変更・変形することが可能である。
【００７７】
本発明は、上記の実施形態の機能を実現するソフトウェア（プログラム）をネットワーク又は各種記憶媒体を介してシステム又は装置に供給し、システム又は装置のコンピュータ（ＣＰＵやＭＰＵなど）がプログラムを読み出すことにより実行されてもよい。また、本発明は、システム又は装置のコンピュータにおける１つ以上のプロセッサーがプログラムを読出し実行する処理でも実現可能であり、１以上の機能を実現する回路（例えば、ＡＳＩＣ）によっても実現可能である。
【符号の説明】
【００７８】
１０１Ａ，１０１Ｂ，１０１Ｃ  放射線撮影装置
１０２  ＨＩＳ
１０３  ＲＩＳ
１０４  ＰＡＣＳ
１０５  プリンタ
１０６  ネットワーク
１０７  撮影装置表示部
１０８  撮影装置操作部
１０９  撮影装置制御部（制御部）
１１０  放射線発生装置制御部
１１１  放射線発生部
１１２  放射線検出器
１１３  判定部
【図１】
2018139849.tif 000003
【図２】
2018139849.tif 000004
【図３】
2018139849.tif 000005
【図４】
2018139849.tif 000006
【図５】
2018139849.tif 000007
【図６】
2018139849.tif 000008
【図７】
2018139849.tif 000009
【図８】
2018139849.tif 000010